(57)【特許請求の範囲】
【請求項１】
便器本体の流出口と、床面に配設され屈曲部を備えた排水管と、を接続する排水ソケットであって、
上記便器本体の流出口に接続されこの流出口から流下する排水を鉛直方向に流下させる鉛直管路部と、
この鉛直管路部に接続される流入口と、上記排水管の入口部に接続されその中心軸が上記鉛直管路部の中心軸から水平方向に離間した流出口と、この流入口から流出口へ排水が流れる流路と、上記鉛直管路部の側から上記流出口に向かって流路が屈曲する屈曲部と、を備えた屈曲管路部と、を有し、
上記屈曲管路部の屈曲部には、上記流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、上記屈曲管路部の流出口から排水管の入口部に流入する排水の流れの方向が排水管の中央方向に変化するように形成され、
上記屈曲管路部の屈曲部の突出部は、上記流出口の中心軸を挟んで上記鉛直管路部の側の反対側に設けられ、
上記屈曲管路部の突出空間の容積は、上記流出口の水平方向の開口断面を、流路内にて上記屈曲管路部の底面の高さ位置から上面の高さ位置まで投影して形成される仮想円柱の容積よりも大きいことを特徴とする排水ソケット。
【請求項２】
便器本体の流出口と、床面に配設され屈曲部を備えた排水管と、を接続する排水ソケットであって、
上記便器本体の流出口に接続されこの流出口から流下する排水を鉛直方向に流下させる鉛直管路部と、
この鉛直管路部に接続される流入口と、上記排水管の入口部に接続されその中心軸が上記鉛直管路部の中心軸から水平方向に離間した流出口と、この流入口から流出口へ排水が流れる流路と、上記鉛直管路部の側から上記流出口に向かって流路が屈曲する屈曲部と、を備えた屈曲管路部と、を有し、
上記屈曲管路部の屈曲部には、上記流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、上記屈曲管路部の流出口から排水管の入口部に流入する排水の流れの方向が排水管の中央方向に変化するように形成され、
上記屈曲管路部の屈曲部には、その上流側に水平方向に延びる直管部が設けられ、上記屈曲部の突出部は、上記直管部の下流側の上面から上記流出口の中心軸に沿った流路の上記直管部の上面よりも上方側に突出するように設けられていることを特徴とする排水ソケット。
【請求項３】
便器本体の流出口と、床面に配設され屈曲部を備えた排水管と、を接続する排水ソケットであって、
上記便器本体の流出口に接続されこの流出口から流下する排水を鉛直方向に流下させる鉛直管路部と、
この鉛直管路部に接続される流入口と、上記排水管の入口部に接続されその中心軸が上記鉛直管路部の中心軸から水平方向に離間した流出口と、この流入口から流出口へ排水が流れる流路と、上記鉛直管路部の側から上記流出口に向かって流路が屈曲する屈曲部と、を備えた屈曲管路部と、を有し、
上記屈曲管路部の屈曲部には、上記流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、上記屈曲管路部の流出口から排水管の入口部に流入する排水の流れの方向が排水管の中央方向に変化するように形成され、
上記屈曲管路部の屈曲部の突出部は、上記流出口の中心軸を挟んで上記鉛直管路部の側の反対側、及び、上記流出口の中心軸に沿った流路の上方に設けられていることを特徴とする排水ソケット。
【請求項４】
上記屈曲管路部の突出空間の底面には、上記流出口に向かって下方へと傾斜した傾斜面が形成されている、請求項１に記載の排水ソケット。
【請求項５】
上記請求項１乃至４の何れか１項に記載の排水ソケットを有する水洗大便器。
【発明の詳細な説明】
【技術分野】
【０００１】
本発明は、排水ソケット、及び、それを備えた水洗大便器に係り、特に、便器本体の排出口と床面に配設され屈曲部を備えた排水管とを接続する排水ソケットに関する。
【背景技術】
【０００２】
従来から、サイホン作用を生じさせない便器として、洗い落とし式水洗大便器が知られている。この従来の洗い落とし式水洗大便器は、サイホン作用により汚物を排出するサイホン式水洗大便器に比べて、水の落差による流水作用で汚物を押し流すので、構造がシンプルであり、且つ安価であることに加えて、サイホン作用を生じさせないため、便器洗浄に用いられる洗浄水の量が少なくて済むという利点がある。この洗い落とし式水洗大便器は、従来から便器に要請されている洗浄水の節水のニーズにも合致している。
【０００３】
また、例えば、洗い落とし式水洗大便器の便器本体の排水路と床下排水管を接続する排水ソケットとして、便器本体の排水路の出口部に接続される便器本体側接続管部材と、床下排水管の入口部と接続され屈曲管路を備えた床下側接続管部材と、便器本体側接続管部材と床下側接続管部材を接続するほぼ直線状に延びる中間管部材と、を有する排水ソケットが知られている（特許文献１参照）。
この特許文献１の排水ソケットにおいて、排水ソケットの屈曲管路内を排水がシールしてサイホン作用が発生すると、上流側の排水を下流側に引き込もうとする負圧が発生するので、これを防止するため、負圧抑制手段が排水ソケットの屈曲管路に設けられている。
【先行技術文献】
【特許文献】
【０００４】
【特許文献１】特開２０１１−１７９１８７号公報
【発明の概要】
【発明が解決しようとする課題】
【０００５】
ここで、図９により、従来の一般的な排水ソケットを、屈曲部を備えた床下排水管に適用した水洗大便器について説明する。図９は、従来の排水ソケットを備えた洗い落とし式水洗大便器及び屈曲部を備えた床下排水管における排水の流れを模式的に表した断面図である。
【０００６】
図９に示すように、従来の排水ソケット１６０は、洗い落とし式水洗大便器１００の便器本体１２０の排水路１４０と、上流から下流にかけて流路が屈曲する屈曲部１８０ａを備えた床下排水管１８０と、を接続している。この排水ソケット１６０は、便器本体１２０の排水路１４０の出口部に接続される便器本体側接続管部材２００と、床下排水管１８０の入口部に接続され屈曲管路を有した床下側接続管部材２４０と、便器本体側接続管部材２００と床下側接続管部材２４０とを接続するほぼ直線上に延びる中間管部材２２０と、を有する。便器本体１２０の排水路１４０から排水ソケット１６０へ汚物と共に洗浄水が排水されると、この洗浄水は、排水ソケット１６０の便器本体側接続管部材２００及び中間管部材２２０を介して、床下側接続管部材２４０へ排水される。床下側接続管部材２４０へ排水された洗浄水は、水平方向の水の勢いによって、図９における便器本体１２０の前方側の床下排水管１８０の前方側の壁面１８０ｂに沿って、床下排水管１８０内を流下する。便器本体１２０の床下排水管１８０の前方側の壁面１８０ｂに沿って流下する洗浄水は、床下排水管１８０の屈曲部１８０ａの流路を水シールし、床下排水管１８０へ排水された洗浄水が床下排水管１８０の屈曲部１８０ａで滞留する。これにより、床下排水管１８０へ排水された洗浄水が、床下排水管１８０の屈曲部１８０ａの流路を閉塞して密封空間を作ってしまう。そのため、この密封空間が排水に引っ張られて負圧状態となり、サイホンが発生してしまう場合がある。その結果、便器本体１２０の封水が下流に引き込まれて破封するもしくは封水が減少するという懸念がある。
このように便器本体の封水が破封するもしくは封水が減少すると、その分の量の洗浄水を加えなければならず、従来から水洗大便器に要請されている洗浄水の節水化のニーズに反してしまう。
【０００７】
そこで、本発明は、上述した従来技術の問題点を解決するためになされたものであり、床面に配設された排水管の屈曲部の流路が水シールされることにより発生するサイホンを防止することができる排水ソケット、及び、それを備えた水洗式大便器の提供を目的としている。
【課題を解決するための手段】
【０００８】
上記の目的を達成するために、本発明は、便器本体の流出口と、床面に配設され屈曲部を備えた排水管と、を接続する排水ソケットであって、便器本体の流出口に接続されこの流出口から流下する排水を鉛直方向に流下させる鉛直管路部と、この鉛直管路部に接続される流入口と、排水管の入口部に接続されその中心軸が鉛直管路部の中心軸から水平方向に離間した流出口と、この流入口から流出口へ排水が流れる流路と、鉛直管路部の側から流出口に向かって流路が屈曲する屈曲部と、を備えた屈曲管路部と、を有し、屈曲管路部の屈曲部には、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成され、屈曲管路部の屈曲部の突出部は、流出口の中心軸を挟んで鉛直管路部の側の反対側に設けられ、屈曲管路部の突出空間の容積は、流出口の水平方向の開口断面を、流路内にて屈曲管路部の底面の高さ位置から上面の高さ位置まで投影して形成される仮想円柱の容積よりも大きいことを特徴としている。
このように構成された排水ソケットにおいては、排水ソケットの屈曲管路部において、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成されているので、便器本体の排出口から排水ソケットの鉛直管路部を介して屈曲管路部に排水された水の一部が突出部によって形成される突出空間内に流れ込む。この突出部に流れ込んだ水は、排水管の中央方向に向かって流れるので、排水ソケットの屈曲管路部から突出部を介さずに排水管へ流れ込む排水（排水管の壁面に沿って流れようとする排水）の方向を排水管の中央方向に変化させ、排水管の中央に排水が落ちやすくなる。その結果、本発明の排水ソケットによれば、床下における排水管の屈曲部に滞留して流路を閉塞する（水シールする）ことを防ぎ、サイホンの発生を防止することができる。
また、本発明においては、屈曲管路部の屈曲部の突出部は、流出口の中心軸を挟んで鉛直管路部の側の反対側に設けられているので、鉛直管路部を介して屈曲管路部に流れ込んだ水が突出部によって形成される突出空間内に流れ込みやすくなる。これにより、突出部に流れ込んだ水は、排水管の中央方向に向かって流れるため、排水管の壁面に沿って流れる排水（主流）の方向を排水管の中央方向に変化させ、排水管のより中央に排水が落ちやすくなる。その結果、本発明によれば、床下における排水管の屈曲部に滞留して流路を閉塞することを防いでサイホンの発生をさらに防止することができる。
さらに、本発明においては、屈曲管路部の突出空間の容積は、流出口の水平方向の開口断面を、流路内にて屈曲管路部の底面の高さ位置から上面の高さ位置まで投影して形成される仮想円柱の容積よりも大きいので、突出空間から逆流する水量が多くなり、排水管の壁面に沿って流れる排水の方向を軸の中央に変化させる力（主流の向きと力を打ち消す作用）が強くなる。この結果、本発明によれば、排水の主流が壁面に沿って流れずに、排水管の中央に落ちるようになるため、床下における排水管の屈曲部を水シールすることを抑制できる。
【００１０】
本発明は、便器本体の流出口と、床面に配設され屈曲部を備えた排水管と、を接続する排水ソケットであって、便器本体の流出口に接続されこの流出口から流下する排水を鉛直方向に流下させる鉛直管路部と、この鉛直管路部に接続される流入口と、排水管の入口部に接続されその中心軸が上記鉛直管路部の中心軸から水平方向に離間した流出口と、この流入口から流出口へ排水が流れる流路と、鉛直管路部の側から上記流出口に向かって流路が屈曲する屈曲部と、を備えた屈曲管路部と、を有し、屈曲管路部の屈曲部には、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成され、屈曲管路部の屈曲部には、その上流側に水平方向に延びる直管部が設けられ、屈曲部の突出部は、直管部の下流側の上面から流出口の中心軸に沿った流路の直管部の上面よりも上方側に突出するように設けられていることを特徴としている。
このように構成された排水ソケットにおいては、排水ソケットの屈曲管路部において、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成されているので、便器本体の排出口から排水ソケットの鉛直管路部を介して屈曲管路部に排水された水の一部が突出部によって形成される突出空間内に流れ込む。この突出部に流れ込んだ水は、排水管の中央方向に向かって流れるので、排水ソケットの屈曲管路部から突出部を介さずに排水管へ流れ込む排水（排水管の壁面に沿って流れようとする排水）の方向を排水管の中央方向に変化させ、排水管の中央に排水が落ちやすくなる。その結果、本発明の排水ソケットによれば、床下における排水管の屈曲部に滞留して流路を閉塞する（水シールする）ことを防ぎ、サイホンの発生を防止することができる。
さらに、本発明において、屈曲管路部の屈曲部には、その上流側に水平方向に延びる直管部が設けられ、屈曲部の突出部は、直管部の下流側の上面から流出口の中心軸に沿った流路の直管部の上面よりも上方側に突出するように設けられているので、鉛直管路部を介して屈曲管路部に流れ込んだ水が突出部によって形成される突出空間内に流れ込みやすくなる。これにより、突出部に流れ込んだ水は、排水管の中央方向に向かって流れるため、排水管の壁面に沿って流れる排水（主流）の方向を排水管の中央方向に変化させ、排水管のより中央に排水が落ちやすくなる。その結果、本発明によれば、床下における排水管の屈曲部に滞留して流路を閉塞することを防いでサイホンの発生をさらに防止することができる。
【００１１】
本発明は、便器本体の流出口と、床面に配設され屈曲部を備えた排水管と、を接続する排水ソケットであって、便器本体の流出口に接続されこの流出口から流下する排水を鉛直方向に流下させる鉛直管路部と、この鉛直管路部に接続される流入口と、排水管の入口部に接続されその中心軸が上記鉛直管路部の中心軸から水平方向に離間した流出口と、この流入口から流出口へ排水が流れる流路と、鉛直管路部の側から上記流出口に向かって流路が屈曲する屈曲部と、を備えた屈曲管路部と、を有し、屈曲管路部の屈曲部には、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成され、屈曲管路部の屈曲部の突出部は、流出口の中心軸を挟んで鉛直管路部の側の反対側、及び、流出口の中心軸に沿った流路の上方に設けられている。
このように構成された排水ソケットにおいては、排水ソケットの屈曲管路部において、流出口の鉛直管路部の側の端部から鉛直管路部の側以外の側に延びる流路から外方に向けて突出する突出空間が形成された突出部が設けられ、この突出部が、流路から突出空間に流入した後に突出空間から流路に戻る排水により、屈曲管路部の流出口から排水管の入口部に流入する排水の流れの方向が排水管の中央方向に変化するように形成されているので、便器本体の排出口から排水ソケットの鉛直管路部を介して屈曲管路部に排水された水の一部が突出部によって形成される突出空間内に流れ込む。この突出部に流れ込んだ水は、排水管の中央方向に向かって流れるので、排水ソケットの屈曲管路部から突出部を介さずに排水管へ流れ込む排水（排水管の壁面に沿って流れようとする排水）の方向を排水管の中央方向に変化させ、排水管の中央に排水が落ちやすくなる。その結果、本発明の排水ソケットによれば、床下における排水管の屈曲部に滞留して流路を閉塞する（水シールする）ことを防ぎ、サイホンの発生を防止することができる。
さらに、本発明において、屈曲管路部の屈曲部の突出部は、流出口の中心軸を挟んで鉛直管路部の側の反対側、及び、流出口の中心軸に沿った流路の上方に設けられているので、鉛直管路部を介して屈曲管路部に流れ込んだ水が突出部によって形成される突出空間内に流れ込みやすくなる。これにより、突出部に流れ込んだ水は、排水管の中央方向に向かって流れるため、排水管の壁面に沿って流れる排水（主流）の方向を排水管の中央方向に変化させ、排水管のより中央に排水が落ちやすくなる。その結果、本発明によれば、床下における排水管の屈曲部に滞留して流路を閉塞することを防いでサイホンの発生をさらに防止することができる。
【００１３】
本発明において、好ましくは、屈曲管路部の突出空間の底面には、流出口に向かって下方へと傾斜した傾斜面が形成されている。
このように構成された本発明によれば、屈曲管路部の突出空間の底面には、流出口に向かって下方へと傾斜した傾斜面が形成されているので、突出部に流れ込んだ水が排水管に流れ込みやすくなる。これにより、突出部に流れ込んだ水が排水管に流れ込まずに突出空間内に停滞することを防ぎ、排水ソケットから排水管への排水をスムーズに行うことができる。また、突出部の底面に傾斜面が形成されることで、突出空間からの逆流水の流速が速くなるため、排水管の壁面に沿って流れる排水の方向を排水管の中央方向に変化させる力（主流の向きと力を打ち消す作用）が強くなり、排水の主流が排水管の壁面に沿って流れずに、排水管の中央に落ちるようになるため、床下における排水管の屈曲部を水シールすることを抑制できる。
【００１４】
本発明は、上述した排水ソケットを有する水洗大便器である。
このように構成された本発明によれば、水洗大便器の排水ソケットにおいて、排水管の屈曲部の流路が水シールされることによって発生するサイホンを防止することができる。
【発明の効果】
【００１５】
本発明の排水ソケット及びこの排水ソケットを備えた水洗大便器によれば、床面に配設された排水管の屈曲部の流路が水シールされることにより発生するサイホンを防止することができる。
【図面の簡単な説明】
【００１６】
【図１】本発明の第１実施形態に係る排水ソケットを備えた洗い落とし式水洗大便器の断面図である。
【図２】本発明の第１実施形態に係る排水ソケットの床下配管側接続管部の断面図である。
【図３】図２のIII−III線に沿って見た断面図である。
【図４】本発明の第１実施形態に係る排水ソケットの床下配管側接続管部内の洗浄水の流れを模式的に表した床下側接続管部の断面図である。
【図５】本発明の第２実施形態に係る排水ソケット及びこの排水ソケット床下配管側接続管部内の流れを模式的に表した床下配管側接続管部の断面図である。
【図６】本発明の第３実施形態に係る排水ソケット及びこの排水ソケット床下配管側接続管部内の流れを模式的に表した床下配管側接続管部の断面図である。
【図７】本発明の第１実施形態の変形例に係る排水ソケットの床下配管側接続管部の断面図である。
【図８】本発明の第１実施形態の他の変形例に係る排水ソケット及びこの排水ソケットを備えた洗い落とし式水洗大便器の断面図である。
【図９】従来の排水ソケットを備えた洗い落とし式水洗大便器及び屈曲部を備えた床下排水管における排水の流れを模式的に表した断面図である。
【発明を実施するための形態】
【００１７】
以下、添付図面を参照して、本発明の実施形態に係る排水ソケット及びそれを備えた水洗大便器について説明する。
【００１８】
（第１実施形態）
＜水洗大便器の構成＞
まず、図１を参照して、本発明の第１実施形態に係る排水ソケットを備えた洗い落とし式水洗大便器について説明する。図１は、本発明の第１実施形態に係る排水ソケットを備えた洗い落とし式水洗大便器の断面図である。
【００１９】
図１に示すように、洗い落とし式水洗大便器１は、便器本体２と、便器洗浄に使用される洗浄水を貯水して便器本体２へ給水する洗浄水源である貯水タンク（図示せず）と、を備えている。また、便器本体２には、汚物を受けるボウル形状のボウル部４と、このボウル部４の底部から延びる排水トラップ管路６と、ゼット吐水口（図示せず）と、リム吐水を行うリム吐水口８が形成されている。
【００２０】
ここで、本実施形態では、洗い落とし式水洗大便器１が設けられる床面に沿う方向を水平方向、これと直交する方向を鉛直方向という。
また、床面に対して洗い落とし式水洗大便器１が設けられる側を上方向（上方）、これと反対側を下方向（下方）、洗い落とし式水洗大便器１のボウル部４に対して排水トラップ管路６が設けられる側を後方向（後方）、これと反対側を前方向（前方）、上下方向及び前後方向と直交する方向のうち後方に向いて右側を右方向（右方）、左側を左方向（左方）、という。
【００２１】
ボウル部４は、ボウル形状の汚物受け面１０と、汚物受け面１０の下縁部１０ａから下方へ形成されて排水トラップ管路６に接続される凹部１２と、ボウル部４の上縁部に沿って形成されたリム部１４と、を備えている。また、ゼット吐水口（図示せず）は、便器本体２の前方側から見てボウル部４の凹部１２の左側の側壁面に形成されている。このゼット吐水口から吐水された洗浄水の主流が、凹部１２に向けて流れ込み、旋回する。
【００２２】
リム吐水口８は、ボウル部４の上部後方に形成されており、洗浄水をこのリム吐水口８からボウル部４の上部に形成されるリム部１４の内周面１４ａに沿って前方に吐出する。リム吐水口８から吐水された洗浄水は、汚物受け面１０を旋回する旋回流を形成し、凹部１２に流れ込む。
【００２３】
ボウル部４の汚物受け面１０の凹部１２の後方且つ下方には、排水トラップ管路６の入口部６ａが開口している。この入口部６ａの上方且つ後方へ上昇管６ｂが延びており、上昇管６ｂから鉛直方向下方に下降する下降管出口部（便器本体の排出口）６ｃが連続している。上昇管６ｂと下降管出口部６ｃとの間が頂部６ｄとなっている。
ここで、床面には、その床下に床下排水管１８が設けられている。この床下排水管１８には、入口部１８ａが開口されており、鉛直部１８ｅと水平部１８ｆとの間に屈曲部１８ｄが形成されている。排水トラップ管路６の下降管出口部６ｃと床下排水管１８の入口部１８ａには、汚物を排出するための排水ソケット１６が接続される。この排水ソケット１６は、排水トラップ管路６の下降管出口部６ｃに接続される流入口１６ａと、床下排水管１８の入口部１８ａに接続される流出口１６ｂと、を備えている。排水ソケット１６には、流入口１６ａから流出口１６ｂに汚物を含む洗浄水を流すための流路１６ｃが形成されている。排水ソケット１６の流出口１６ｂから、床下に設けられた床下排水管１８に便器本体２から排出された汚物を含む洗浄水が排出される。
【００２４】
＜排水ソケットの構成＞
次に、図１乃至図３により、本実施形態による洗い落とし式水洗大便器１の排水ソケット１６について説明する。図２は本発明の第１実施形態に係る排水ソケットの床下配管側接続管部の断面図であり、図３は図２のIII−III線に沿って見た断面図である。なお、図２において、後述する排水ソケット１６の床下配管側接続管部２４の直管部２８の中心軸をＸ、流出口１６ｂ及び鉛直部３２の中心軸をＹで表している。
【００２５】
図１乃至図３に示すように、排水ソケット１６は、便器本体２の排水トラップ管路６の下降管出口部６ｃの鉛直方向下方に接続され且つ鉛直方向下方から水平方向に向かって屈曲するように形成されている便器本体側接続管部（鉛直管路部）２０と、便器本体側接続管部２０に接続され、便器本体側接続管部２０から水平方向に延びる直管状の中間管部２２と、この中間管部２２に接続され且つ水平方向から鉛直方向下方に向かって屈曲するように形成される床下配管側接続管部（屈曲管路部）２４と、を備えている。
【００２６】
便器本体側接続管部２０には、排水トラップ管路６の下降管出口部６ｃに接続される流入口１６ａが設けられており、この流入口１６ａから流入した排水を鉛直方向へ流下させる。また、便器本体側接続管部２０は、便器本体側接続管部２０内の流路が鉛直方向下方である上流側から水平方向である下流側に向かって屈曲するように形成されている。便器本体側接続管部２０の下流側には中間管部２２が接続されている。
便器本体側接続管部２０に設けられる流入口１６ａは、便器本体２の排水トラップ管路６の鉛直方向下方に開口する下降管出口部６ｃに、ゴムジョイント２６を介して接続されている。
【００２７】
中間管部２２は水平方向に延びる直線状管部であり、中間管部２２の上流側には、便器本体側接続管部２０が接続されている。中間管部２２の下流側には、床下配管側接続管部２４が接続されている。
【００２８】
床下配管側接続管部２４は、底部に流出口１６ｂを有し、中間管部２２に接続され且つ水平方向に延びる直管部２８と、この直管部２８から流出口１６ｂに向かって流路が屈曲する屈曲部３０と、この屈曲部３０から鉛直方向下方に延びる鉛直部３２と、を有している。また、床下配管側接続管部２４の底部である鉛直部３２には、流出口１６ｂが設けられている。この流出口１６ｂの中心軸Ｙは、便器本体側接続管部２０の鉛直方向の管路の中心軸から水平方向に離間した開口であり、流出口１６ｂは、床下排水管１８の入口部１８ａに接続される。
床下配管側接続管部２４の屈曲部３０には、流出口１６ｂよりも流出口１６ｂの中心軸Ｙから遠ざかる水平方向の前方に向けて突出する突出部３４が設けられている。この突出部３４は、その内部に屈曲部３０の屈曲する流路と連通する突出空間３４ａ（図２及び図３に二点鎖線により囲まれた空間）が形成されている。より具体的に言えば、図２及び図３に示されたように、突出部３４の突出空間３４ａは、図２及び図３における鉛直部３２の前方側の壁面３２ａよりもさらに前方側に突出した屈曲部３０の屈曲する流路と連通する空間である。
【００２９】
突出部３４は、床下配管側接続管部２４の屈曲部３０において、流出口１６ｂの中心軸Ｙを挟んで直管部２８側と対向する位置に設けられている。つまり、屈曲部３０に対して直管部２８が形成される高さ位置と同じ高さ位置に突出部３４が形成され、突出部３４の上面３４ｂと直管部２８の上面２８ａ及び、突出部３４の底面３４ｃと直管部２８の底面２８ｂが、それぞれ、同じ高さ位置に形成されている。なお、同じ高さ位置とは、完全に一致している場合と、効果を及ぼす程度にほぼ一致している場合とを含む。
【００３０】
突出部３４の上面３４ｂは、直管部２８から屈曲部３０に向かう方向（図２における屈曲部３０の前方向）に直管部２８の上面２８ａを水平に延長させるように形成される。この突出部３４の上面３４ｂから鉛直下方に向かって突出部３４の壁面３４ｄが形成される。突出部３４の壁面３４ｄは、流出口１６ｂの中心軸Ｙを挟んで直管部２８側と対向する位置（図２における直管部２８の前方側の端部）よりも、流出口１６ｂの中心軸Ｙから遠ざかる方向（図２における屈曲部３０の前方向）に位置している。そして、突出部３４の壁面３４ｄの下端から鉛直部３２に向かって、突出部３４の底面３４ｃが形成され、鉛直部３２へと接続されている。また、直管部２８の中心軸Ｘと直交する面における直管部２８の管路断面と突出部３４の管路断面がほぼ同じ形状となっている。
【００３１】
突出部３４における突出空間３４ａの底面３４ｃには、流出口１６ｂに向かって下方へと傾斜した傾斜面３４ｅが形成されている。
【００３２】
＜動作及び作用＞
つぎに、図１乃至図４を参照して、本発明の第１実施形態に係る排水ソケット１６による動作及び作用について説明する。図４は、本発明の第１実施形態に係る排水ソケットの床下配管側接続管部内の流れを模式的に表した床下配管側接続管部の断面図である。なお、図４において、床下配管側接続管部２４内を流れる汚物を含んだ洗浄水の流れ方向をそれぞれＦ１〜Ｆ４で表している。
【００３３】
まず、図示しない操作部からの指令により、便器の洗浄が開始されると、貯水タンク（図示せず）の洗浄水が、ボウル部４のリム吐水口８及びゼット吐水口（図示せず）のそれぞれから吐水される。リム吐水口８とゼット吐水口から吐水された洗浄水は、便器本体２のボウル部４内が旋回流によって洗浄された後、水の落差による流水作用で汚物が排水トラップ管路６の入口部６ａから上昇管６ｂに排出される。そして、上昇管６ｂ内に汚物と共に排出された洗浄水は、上昇管６ｂを上昇して、下降管出口部６ｃに向かって流される。
【００３４】
下降管出口部６ｃに向かって汚物と共に排出された洗浄水（以降、汚物と共に排出された洗浄水を単に「汚水」という）は、排水ソケット１６の流入口１６ａを介して便器本体側接続管部２０へ流下する。便器本体側接続管部２０に流下した汚水は、下降管出口部６ｃから鉛直下方に形成される便器本体側接続管部２０の上流側の流路から屈曲して、便器本体側接続管部２０の水平方向に形成される下流側の流路へ向かって流れる。そして、便器本体側接続管部２０の水平方向に形成される下流側の流路を通った汚水は、そのまま中間管部２２を通り、床下配管側接続管部２４へ流れ込む。
【００３５】
図４に示すように、中間管部２２から床下配管側接続管部２４に流れ込んだ汚水は、まず床下配管側接続管部２４の直管部２８を通って床下配管側接続管部２４の屈曲部３０に流入する（Ｆ１）。直管部２８から屈曲部３０に流入する汚水Ｆ１の流量が少ないとき、例えば、排水の初めから所定時間の間は、直管部２８を通った汚水Ｆ１は、屈曲部３０へ流入し、そのまま下方（鉛直部３２に向かう方向）へ流下する（Ｆ２）。ここで、床下配管側接続管部２４の屈曲部３０には、直管部２８における汚水Ｆ１の流れ方向に突出部３４が設けられている。そのため、直管部２８から屈曲部３０に流入する汚水Ｆ１の流量が多くなると、汚水Ｆ１は、屈曲部３０へ流入した後、屈曲部３０の下方に位置する鉛直部３２（Ｆ２）と、直管部２８の水平方向に位置する突出部３４の突出空間３４ａ内に流入する（Ｆ３）。
【００３６】
直管部２８から屈曲部３０を介して鉛直部３２に向かう方向へ流下する汚水Ｆ２（主流）は、直管部２８から流れてきた汚水Ｆ１の水平方向の流れの勢いによって、図４における鉛直部３２の後方側の壁面３２ａを沿うことなく、図４における床下排水管１８の前方側の壁面１８ｂに向かって流れる。
一方、直管部２８から屈曲部３０を介して突出部３４に向かう方向へ流れる汚水Ｆ３は、ほぼ水平方向に流れて突出部３４によって形成される突出空間３４ａ内に流れ込む。
【００３７】
ここで、突出部３４における突出空間３４ａの底面３４ｃには、流出口１６ｂに向かって下方に傾斜した傾斜面３４ｅが設けられているため、突出部３４における突出空間３４ａに流入した汚水は、加速して鉛直部３２に流れ込む。これにより、突出部３４を介して鉛直部３２に向かう汚水Ｆ３は、図３における鉛直部３２の前方側の壁面３２ａに沿うことなく、図４における床下排水管１８の後方側の壁面１８ｃに向かって流れる。
【００３８】
そして、図４において、床下排水管１８の前方側の壁面１８ｂに向かって流れる汚水Ｆ２が、床下排水管１８の後方側の壁面１８ｃに向かって流れる汚水Ｆ３と合流する。これにより、汚水Ｆ２と汚水Ｆ３の水平方向の流れを互いに打ち消しあい、汚水Ｆ２の流れ方向が床下排水管１８の管路中央下向き、即ち、床下排水管１８の中央方向（中心側）に変化させられる（Ｆ４）。そのため、突出空間３４ａがない場合と比較して床下排水管１８の壁面１８ｂを沿う汚水が減り、も、床下排水管１８の水平方向の管路断面の中央付近を流下する汚水が増える。従って、床下排水管１８を汚水が流下した先（床下排水管１８の下流側）に水平方向へ屈曲する屈曲部１８ｄがあった場合でも、屈曲部１８ｄにおける管路断面を水シールして滞留することなく汚水が流れる。
なお、合流した汚水Ｆ４が鉛直部３２及び流出口１６ｂを流下するとき、この汚水Ｆ４によって、排水を引き込むようなサイホン作用を発揮することはない。
【００３９】
上述した本発明の第１実施形態による排水ソケット１６及びそれを備えた洗い落とし式水洗大便器１によれば、流出口１６ｂよりも流出口１６ｂの中心軸Ｙから遠ざかる水平方向に向けて突出する突出部３４が設けられることで、便器本体の排水トラップ管路６から便器本体側接続管部２０及び中間管部２２を介して床下配管側接続管部２４に排水された水の一部が突出部３４の突出空間３４ａ内に流れ込む。突出部３４の突出空間３４ａ内に流れ込んだ汚水は、床下排水管１８の後方側の壁面１８ｃに向かって流れて、直管部２８から屈曲部３０を介して床下排水管１８の前方側の壁面１８ｂに向かって流れる汚水の主流と合流して水平方向の流れ（力と向き）を打ち消しあう。その結果、汚水の主流が床下排水管１８の壁面に沿って流れずに、床下排水管１８の中央に落ちるようになるため、床下排水管１８の屈曲部１８ｄに滞留して流路を閉塞することを防ぎ、サイホンの発生を防止することができる。
【００４０】
また、上述した本発明の第１実施形態による排水ソケット１６及びそれを備えた洗い落とし式水洗大便器１によれば、床下配管側接続管部２４の底部に設けられている流出口１６ｂの中心軸Ｙを挟んで直管部２８側と対向する位置に突出部３４が設けられていることで、床下配管側接続管部２４の直管部２８から屈曲部３０に流れる水が突出部３４の突出空間３４ａ内に流れ込みやすくなる。突出部３４の突出空間３４ａ内に流れ込んだ水は、床下排水管１８の後方側の壁面１８ｃに向かって流れるため、汚水の主流の水平方向の流れ（向きと力）を打ち消す作用をより強くすることができる。その結果、汚水の主流が床下排水管１８のより中央に落ちるようになるため、床下排水管１８の屈曲部に滞留して流路を閉塞することを防ぎ、サイホンの発生をさらに防止することができる。
【００４１】
さらに、上述した本発明の第１実施形態による排水ソケット１６及びそれを備えた洗い落とし式水洗大便器１によれば、突出部３４における突出空間３４ａの底面３４ｃには、床下配管側接続管部２４の底部に設けられている流出口１６ｂに向かって下方へと傾斜した傾斜面３４ｅが形成されることで、突出部３４の突出空間３４ａ内に流れ込んだ水が床下排水管１８に流れ込みやすく、突出部３４の突出空間３４ａ内に水が停滞することを防ぐことができる。また、突出部３４よって形成される突出空間３４ａからの逆流水の流速が速くなるため、床下排水管１８の壁面に沿って流れる排水の方向を床下排水管１８の軸の中央に変化させる力（主流の向きと力を打ち消す作用）が強くなり、汚水の主流が床下排水管１８の前方側の壁面１８ｂに沿って流れずに、床下排水管１８の中央に落ちるようになるため、床下排水管１８の屈曲部１８ｄを水シールすることを抑制できる。
【００４２】
本発明の第１実施形態に係る排水ソケット１６及びそれを備えた洗い落とし式水洗大便器１によれば、さらに、以下のような優れた作用効果が奏される。まず、便器本体２のボウル部４の凹部１２に堆積した汚物を排出する際、まず、凹部１２に貯留された一部の洗浄水（先行洗浄水）が、汚物に先行して、排水ソケット１６内を流れ、床下排水管１８に排出され、その後、汚物より後に流れることにより汚物搬送を行なう洗浄水（背負い水）が、排水ソケット１６内を流れ、この洗浄水（背負い水）と共に汚物が床下排水管１８に排出される。
【００４３】
しなしながら、洗浄水の節水化を行なった場合、汚物を搬送するための洗浄水（背負い水）の量が低下し、それにより、床下排水管１８内に流れた汚物が、床下排水管１８の水平部１８ｆに到達したとき、汚物を搬送できる距離が短くなり、それにより、汚物排出ができないという問題が生じた。
【００４４】
この節水化により生じた問題は、本発明の第１実施形態による排水ソケット１６の便器本体側接続管部（鉛直管路部）２０の屈曲部３０の突出部３４に形成された突出空間３４ａにより解決可能である。即ち、節水化により洗浄水量が少なくなっても、最初に流れる先行洗浄水が、排水ソケット１６を流れる際、一旦、突出空間３４ａに滞留し、その後、床下排水管１８内に流入する。この先行洗浄水は、突出空間３４ａに滞留した分、床下排水管１８内に流れるタイミングが遅れ、それにより、汚物が床下排水管１８内に流下した後に、この滞留していた先行洗浄水が、床下排水管１８に流入することになる。
この結果、先行洗浄水の全部又は一部を、汚物を搬送するための背負い水として利用することが可能となり、背負い水の量を増加させることができるので、それにより、床下排水管１８の水平部１８ｆにおいて、節水化により洗浄水量が低減された場合であっても、汚物を確実に搬送することができる。
【００４５】
この排水ソケット１６の屈曲部３０の突出部３４に突出空間３４ａを形成することにより、先行洗浄水を、汚物を搬送するための背負い水として利用し、床下排水管１８の水平部１８ｆにおいて汚物を確実に搬送できる、という作用効果は、後述する他の実施形態及び変形例においても、同様に、奏される。
【００４６】
（第２実施形態）
次に、図５により、本発明の第２実施形態に係る排水ソケット１６を説明する。
第２実施形態による排水ソケット１６は、床下配管側接続管部２４の屈曲部３０において、流出口１６ｂの上方向に向けて突出する突出部３４を設けている。図５は本発明の第２実施形態に係る排水ソケットにおいて上方に突出部を設けた床下配管側接続管部内の流れを模式的に表した床下側接続管部の断面図である。
【００４７】
＜床下配管側接続管部の構成＞
第２実施形態に係る排水ソケット１６において、床下配管側接続管部２４以外の構成は第１実施形態と同様であるので、それらの説明は省略する。
図５に示すように、床下配管側接続管部２４は、底部に流出口１６ｂを有し、中間管部２２に接続され且つ水平方向に延びる直管部２８と、この直管部２８側から流出口１６ｂに向かって流路が屈曲する屈曲部３０と、この屈曲部３０から鉛直方向に延び且つ床下排水管入口部１８ａに接続される鉛直部３２と、を有している。床下配管側接続管部２４の底部である鉛直部３２には、流出口１６ｂが設けられている。この流出口１６ｂは、その中心軸が便器本体側接続管部２０の鉛直方向の管路の中心軸と水平方向に離間した開口であり、流出口１６ｂは、床下排水管入口部１８ａに接続される。
【００４８】
床下配管側接続管部２４の屈曲部３０には、流出口１６ｂの鉛直上方向（図５における屈曲部３０の上方）に向けて突出する突出部３４が設けられている。この突出部３４は、その内部に屈曲部３０の屈曲する流路と連通する突出空間３４ａ（図５において二点鎖線により囲まれた空間）が形成されている。突出部３４は、床下配管側接続管部２４の屈曲部３０において、直管部２８の中心軸Ｘを挟んで屈曲部３０と鉛直部３２との接続部と対向する位置に設けられている。より具体的に言えば、突出部３４の突出空間３４ａは、図５における屈曲部３０の直管部２８の上面２８ａよりも上方側に突出した屈曲部３０の屈曲する流路と連通する空間である。
図５における突出部３４の後方側の側面は、鉛直部３２の前方側の壁面の鉛直上方の位置における直管部２８の端部から、鉛直上方に延出させるように形成される。この突出部３４の後方側の側面から前方に向かってほぼ水平に突出部３４の上面３４ｂが形成される。つまり、突出部３４の上面３４ｂは直管部２８の上面２８ａよりも上方に形成される。そして、鉛直部３２の前方側の壁面３２ａの鉛直上方の位置における突出部３４の上面３４ｂから鉛直下方に向かって、突出部３４の前方側の側面が形成され、屈曲部３０の前方側の壁面へと接続されている。
【００４９】
＜動作及び作用＞
つぎに、屈曲部３０の上方に突出部３４を設けた場合の床下配管側接続管部２４内の汚水の流れについて説明する。
図５に示すように、中間管部２２から床下配管側接続管部２４に流れ込んだ汚水は、まず床下配管側接続管部２４の直管部２８を通って床下配管側接続管部２４の屈曲部３０に流入する（Ｆ５）。直管部２８から屈曲部３０に流入する汚水Ｆ５の流量が少ないとき、例えば、排水の初めから所定時間の間は、直管部２８を通った汚水Ｆ５は、屈曲部３０へ流入し、そのまま下方へ流下する（Ｆ６）。つづいて、汚水Ｆ５の流量が多くなると、屈曲部３０へ流入した汚水Ｆ５は、一部が屈曲部３０の下方に位置する鉛直部３２へ流入し（Ｆ６）、一部が屈曲部３０の前方側の壁面３０ａに衝突する（Ｆ７）。
直管部２８から屈曲部３０を介して鉛直部３２に向かう方向へ流下する汚水Ｆ６（主流）は、直管部２８から流れてきた汚水Ｆ５の水平方向の流れの勢いによって、図５における鉛直部３２の後方側の壁面３２ａを沿うことなく、図５における床下排水管１８の前方側の壁面１８ｂに向かって流れる。
一方、屈曲部３０の前方側の壁面３０ａに衝突した汚水Ｆ７は、屈曲部３０の前方側の壁面３０ａに沿って下方と（Ｆ８）、上方（Ｆ９）と、にそれぞれ流れる。屈曲部３０の前方側の壁面３０ａに沿って下方へと流れる汚水Ｆ８は、そのまま鉛直部３２の前方側の壁面３２ａ及び床下排水管１８の前方側の壁面１８ｂに沿って流下する。屈曲部３０の壁面３０ａに沿って上方へと流れる汚水Ｆ９は、突出部３４の前方側の側面、突出部３４の上面の順に、突出部３４の管路内の壁面を沿うように、突出部３４の突出空間３４ａ内を旋回する。旋回した汚水Ｆ９は、鉛直部３２の中央に向かって流下する。
そして、床下排水管１８の前方側の壁面に向かって流れる汚水Ｆ６が、突出部３４の突出空間３４ａ内を旋回して鉛直部３２の中央に向かって流下する汚水Ｆ９と合流する。これにより汚水Ｆ６の前方向の流れを汚水Ｆ９の下方向の流れが打ち消し、汚水Ｆ６の流れ方向が床下排水管１８の管路中央下向きに変化させられる（Ｆ１０）。そのため、突出空間３４ａがない場合と比較して、床下排水管１８の壁面を沿う汚水、例えば、汚水Ｆ８が減り、床下排水管１８の水平方向の管路断面中央付近を流下する汚水が多くなる。従って、床下排水管１８を汚水が流下した先に水平方向へ屈曲する屈曲部１８ａがあった場合でも、屈曲部１８ａにおける管路断面を水シールして滞留することなく汚水が流れる。
【００５０】
上述した本発明の第２実施形態による排水ソケット１６及びそれを備えた洗い落とし式水洗大便器１によれば、流出口１６ｂの鉛直上方向に向けて突出する突出部３４が設けられることで、便器本体の排水トラップ管路６から便器本体側接続管部２０及び中間管部２２を介して床下配管側接続管部２４に排水された水の一部が突出部３４によって形成される突出空間３４ａに流れ込む。突出部３４によって形成される突出空間３４ａに流れ込んだ汚水は、床下排水管１８の後方側の壁面に向かって流れて、直管部２８から屈曲部３０を介して床下排水管１８の前方側の壁面に向かって流れる汚水の主流と合流して水平方向の流れ（力と向き）を打ち消しあう。その結果、汚水の主流が床下排水管１８の壁面に沿って流れずに、床下排水管１８の中央に落ちるようになるため、床下排水管１８の屈曲部に滞留して流路を閉塞することを防ぎ、サイホンの発生を防止することができる。
【００５１】
つぎに、図６を参照して、本発明の第３実施形態について説明する。図６は本発明の第３実施形態に係る排水ソケット及びこの排水ソケット床下配管側接続管部内の流れを模式的に表した床下配管側接続管部の断面図である。この第３実施形態は、上述した第１実施形態及び第２実施形態の両方の構成を含み実施形態である。そのため、詳細な構造説明は省略する。
【００５２】
第３実施形態による排水ソケット１６は、床下配管側接続管部（屈曲管路部）２４を備え、この床下配管側接続管部（屈曲管路部）２４には、直管部２８、屈曲部３０、鉛直部３２が形成されている。屈曲部３０には、突出部３４が形成され、この突出部３４には、流出口１６ｂの中心軸Ｙに沿った流路１６ｃの上方、及び、流路１６ｃの前方側に、図６において二点鎖線で囲まれた空間である突出空間３４ａが形成されている。
【００５３】
次に、この第３実施形態による動作及び作用を説明する。図６に示すように、中間管部２２から床下配管側接続管部２４に流れ込んだ汚水は、まず床下配管側接続管部２４の直管部２８を通って床下配管側接続管部２４の屈曲部３０に流入する（Ｆ１１）。直管部２８から屈曲部３０に流入する汚水Ｆ１１の流量が少ないとき、例えば、排水の初めから所定時間の間は、直管部２８を通った汚水Ｆ１１は、屈曲部３０へ流入し、そのまま下方へ流下する（Ｆ１２）。つづいて、汚水Ｆ１１の流量が多くなると、屈曲部３０へ流入した汚水Ｆ１１は、一部が屈曲部３０の下方に位置する鉛直部３２へ流入し（Ｆ１２）、一部が突出部３４の前方側の壁面３４ｄに衝突する（Ｆ１３）。
直管部２８から屈曲部３０を介して鉛直部３２に向かう方向へ流下する汚水Ｆ１２（主流）は、直管部２８から流れてきた汚水Ｆ１１の水平方向の流れの勢いによって、図６における鉛直部３２の後方側の壁面３２ａを沿うことなく、図６における床下排水管１８の前方側の壁面１８ｂに向かって流れる。
【００５４】
一方、突出部３４の前方側の壁面３３ｃに衝突した汚水Ｆ１３は、床下排水管１８の後方側の壁面１８ｃに向かって流れる（Ｆ１４）と共に、突出部３４の前方側の壁面３３ｃに沿って上方に流れる（Ｆ１５）。突出部３４の壁面３４ｄに沿って上方へと流れる汚水Ｆ１５は、そのあと、鉛直部３２の中央に向かって流下する。
そして、床下排水管１８の前方側の壁面に向かって流れる汚水Ｆ１２が、上述した鉛直部３２の中央に向かって流下する汚水Ｆ１４及びＦ１５と合流する。これにより汚水Ｆ１２の前方向の流れを汚水Ｆ１４及びＦ１５の下方向の流れが打ち消し、汚水Ｆ１２の流れ方向が床下排水管１８の管路中央下向きに変化させられる（Ｆ１６）。そのため、突出空間３４ａがない場合と比較して、床下排水管１８の水平方向の管路断面中央付近を流下する汚水が多くなる。従って、床下排水管１８を汚水が流下した先に水平方向へ屈曲する屈曲部１８ａがあった場合でも、屈曲部１８ａにおける管路断面を水シールして滞留することなく汚水が流れる。
【００５５】
（変形例）
以上、本発明の実施形態について説明したが、本発明は、上述した実施形態に限定されるものではない。
【００５６】
まず、図７を参照して、本発明の第１実施形態の変形例に係る排水ソケットについて説明する。図７は本発明の第１実施形態の変形例に係る排水ソケットの床下配管側接続管部の断面図である。
図７に示すように、この変形例による排水ソケット１６において、突出部３４によって屈曲部３０の屈曲する流路と連通する突出空間３４ａの容積Ｒ２は、流出口１６ｂの水平方向の開口断面を、床下配管側接続管部２４の屈曲部３０の屈曲する流路内にて屈曲部３０の底面の高さ位置から上面の高さ位置まで投影して形成される仮想円柱の容積Ｒ１よりも大きく構成されている。なお、この変形例においても、突出部３４における突出空間の底面３４ｃに、流出口１６ｂに向かって下方へと傾斜した傾斜面３４ｅが形成されてもよい。
【００５７】
流出口１６ｂの水平方向の開口断面を屈曲部３０の底面の高さ位置から上面の高さ位置まで投影した屈曲部３０の管路内の空間の容積Ｒ１よりも突出部３４によって形成される突出空間３４ａの容積Ｒ２のほうが大きいため、より多くの汚水が突出部３４の突出空間内に流れ込む。そして、突出部３４の突出空間３４ａの容積が大きいほど、空間から逆流する水量が多くなるため、床下排水管１８の壁面に沿って流れる排水の方向を床下排水管１８の軸の中央に変化させる力（主流の向きと力を打ち消す作用）が強くなり、汚水の主流が床下排水管１８の壁面に沿って流れずに、床下排水管１８の中央に落ちるようになるため、床下排水管１８の屈曲部を水シールすることを抑制できる。
【００５８】
なお、上述した本発明の実施形態においては、排水ソケット１６の便器本体側接続管部２０と、中間管部２２及び床下配管側接続管部２４の３部を別体として構成したが、それらは一体として形成してもよい。また、３部のうちの２部を一体として形成すようにしてもよい。
【００５９】
次に、図８を参照して、本発明の第１実施形態の他の変形例に係る排水ソケットについて説明する。図８は本発明の第１実施形態の他の変形例に係る排水ソケット及びこの排水ソケットを備えた洗い落とし式水洗大便器の断面図である。
図８に示すように、この変形例では、排水ソケット１６において、中間管部２２を省略し、この中間管部２２の上流側部分を便器本体側接続管部２０と一体的に形成し、さらに、中間管部２２の下流側部分を床下配管側接続管部２４と一体的に形成されるようになっている。なお、図８において、流入口１６ａの中心軸をＭ、流出口１６ｂをＮで表している。
【００６０】
図８に示すように、排水トラップ管路６のトラップ下降管出口部６ｃを上方から見たときにトラップ下降管出口部６ｃの水平方向の管路断面と床下排水管入口部１８ａの水平方向の管路断面とが重なる位置に、便器本体２が配置されている。また、排水ソケット１６は、便器本体２のトラップ下降管出口部６ｃの鉛直方向下方に接続され、且つ鉛直方向下方から水平方向に向かって屈曲するように形成されている便器本体側接続管部２０と、便器本体側接続管部２０の下流側に接続され、且つ水平方向から鉛直方向下方に向かって屈曲するように形成される床下配管側接続管部２４と、を備えている。このとき、便器本体側接続管部２０と床下配管側接続管部２４は、一体的に形成されている。
便器本体側接続管部２０において、便器本体２の排水トラップ管路６の鉛直方向下方に開口するトラップ下降管出口部６ｃに、ゴムジョイント２６を介して便器本体側接続管部２０に設けられた流入口１６ａが接続されている。便器本体側接続管部２０は、便器本体側接続管部２０内の流路が鉛直方向下方である上流側から水平方向である下流側に向かって屈曲するように形成されている。便器本体側接続管部２０の下流には、床下配管側接続管部２４が接続されている。
床下配管側接続管部２４の上流側は便器本体側接続管部２０の下流側と一体的に形成されており、床下配管側接続管部２４は底部に流出口１６ｂを有している。床下配管側接続管部２４の下流側には、便器本体側接続管部２０の下流側及び床下配管側接続管部２４の上流側である水平方向の流路から鉛直下方（流出口１６ｂ）へ流路が屈曲する屈曲部３０が設けられている。また、床下配管側接続管部２４の底部には、屈曲部３０から鉛直下方に延び且つ流出口１６ｂが開口した鉛直部３２が設けられている。この流出口１６ｂを介して床下配管側接続管部２４は、床下排水管入口部１８ａに接続される。そして、図８における屈曲部３０の前方側には、流出口１６ｂの中心軸Ｎから遠ざかる方向に向けて突出する突出部３４が設けられている。この突出部３４は、その内部に屈曲部３０の屈曲する流路と連通する突出空間が形成されている。
なお、この場合においても、突出部３４における突出空間の底面３４ｃに、流出口１６ｂに向かって下方へと傾斜した傾斜面３４ｅが形成されてもよい。
【００６１】
また、上述した本発明の実施形態及び変形例において、例えば、直管部２８の中心軸Ｘと直交する面における直管部２８の管路断面と突出部３４の管路断面の形状は異なっていてもよく、直管部２８の中心軸Ｘと直交する面における突出部３４の管路断面の形状が多角形形状であってもよい。また、直管部２８の中心軸Ｘと直交する面における突出部３４の管路断面が、屈曲部３０から突出部３４に向かう方向に、段々と小さくなる、もしくは大きくなるように形成されてもよい。
【００６２】
また、例えば、便器本体２へ洗浄水を供給する洗浄水源としては、上述した実施形態で示した貯水タンク（図示せず）のようなタンク式のものに限定されず、水道水の給水圧を直接利用した水道直圧式のものや、フラッシュバルブ式のものや、ポンプの捕圧を利用して洗浄水を供給するものであってもよい。
【００６３】
また、例えば、排水トラップ管路６及び便器本体側接続管部２０、中間管部２２、床下配管側接続管部２４、床下排水管１８のそれぞれの管は、溶接によって接続してもよいし、接着剤などを用いて接着してもよい。また、それぞれの管の接続部分にシール部材を設けて管同士を接続してもよい。
【００６４】
また、例えば、床下配管側接続管部２４の直管部２８及び中間管部２２は、床面に対して完全に水平でなくてもよく、効果を及ぼす程度に直管部２８の上流から下流に向けて下方もしくは上方へ傾斜していてもよい。具体的には、床面からの傾斜角度が４５度以下であればよい。
【００６５】
また、例えば、屈曲部３０において流出口１６ｂよりも流出口１６ｂの中心軸Ｙを挟んで直管部２８側（便器本体側接続管部２０側）と対向する位置に突出部３４が設けられる構成及び、流出口１６ｂの鉛直上方向に向けて突出する突出部３４が設けられる構成を説明したが、中間管部１６から床下配管側接続管部２４の屈曲部３０を見たときの左右方向に向かって、流出口１６ｂの中心軸Ｙから遠ざかるように屈曲部３０の管路を突出させて突出部３４を形成してもよい。さらに、それら全て、又は、それらの一部をつなげて突出部３４を形成してもよい。
【００６６】
また、例えば、トラップ下降管出口部６ｃが鉛直下方に開口される、いわゆる床下排水型の洗い落とし式水洗大便器１に排水ソケット１６が接続される構成を説明したが、便器本体２の排水トラップ管路６におけるトラップ下降管出口部６ｃが水平方向に開口し、トラップ管路頂部６ｄとトラップ下降管出口部６ｃとの間において排水トラップ管路６内の流路が水平方向に屈曲する、いわゆる壁排水型の洗い落とし式水洗大便器１に用いてもよい。
【００６７】
また、例えば、便器本体側接続管部２０において、便器本体側接続管部２０内の上流側の流路が鉛直方向に形成される構成を説明したが、便器本体側接続管部２０内の上流側の流路が、便器本体２の後方側へ屈曲していてもよい。
【００６８】
また、例えば、突出空間３４ａ内への汚物の入り込みを抑制する抵抗部を突出部３４に設けてもよい。抵抗部により、突出空間３４ａ内への汚物の入り込みを抑制することができるため、汚物が床下排水管１８へ流れ込まずに突出空間３４ａ内に滞留することを抑制できる。抵抗部は、例えば、突出部３４の底面３４ｃから上方へ向けて突出する凸部である。
【符号の説明】
【００６９】
１    洗い落とし式水洗大便器
２    便器本体
４    ボウル部
６    排水トラップ管路
６ａ  管路入口部
６ｂ  上昇管
６ｃ  下降管出口部（便器本体の排出口）
６ｄ  管路頂部
８    吐水口
１０    汚物受け面
１０ａ  汚物受け面の下縁部
１２    凹部
１４    リム部
１４ａ  内周面
１６    排水ソケット
１６ａ  流入口
１６ｂ  流出口
１６ｃ  流路
１８    床下排水管（排水管）
１８ａ  入口部
１８ｂ、１８ｃ 壁面
１８ｄ  屈曲部
１８ｅ  鉛直部
１８ｆ  水平部
２０    便器本体側接続管部（鉛直管路部）
２２    中間管部
２４    床下配管側接続管部（屈曲管路部）
２６    ゴムジョイント
２８    直管部
２８ａ  上面
２８ｂ  底面
３０    屈曲部
３０ａ  壁面
３２    鉛直部
３２ａ  壁面
３４    突出部
３４ａ  突出空間
３４ｂ  上面
３４ｃ  底面
３４ｄ  壁面
３４ｅ  傾斜面
【図１】
0006792187.tif 000002
【図２】
0006792187.tif 000003
【図３】
0006792187.tif 000004
【図４】
0006792187.tif 000005
【図５】
0006792187.tif 000006
【図６】
0006792187.tif 000007
【図７】
0006792187.tif 000008
【図８】
0006792187.tif 000009
【図９】
0006792187.tif 000010